(57)【要約】    【課題】  フォーカシングに際しての撮影倍率の変化が少なく、高速なフォーカシングが容易な広画角のズームレンズを得ること。    【解決手段】  物体側から像側へ順に、負の屈折力の第１レンズ群、正の屈折力の第２レンズ群、フォーカシングに際して移動する負の屈折力のフォーカシングレンズ群、最も像側に配置された正の屈折力の最終レンズ群を有し、フォーカシングレンズ群と最終レンズ群は隣り合う位置に配置されており、ズーミングに際して隣り合うレンズ群の間隔が変化するように各レンズ群が移動するズームレンズであって、最終レンズ群の焦点距離ｆｉｍｇ、フォーカシングレンズ群の焦点距離ｆｆ、広角端における全系の焦点距離ｆｗを各々適切に設定すること。【選択図】    図１
2014026211.tif 000002
【特許請求の範囲】
【請求項１】
物体側から像側へ順に、負の屈折力の第１レンズ群、正の屈折力の第２レンズ群、フォーカシングに際して移動する負の屈折力のフォーカシングレンズ群、最も像側に配置された正の屈折力の最終レンズ群を有し、前記フォーカシングレンズ群と前記最終レンズ群は隣り合う位置に配置されており、ズーミングに際して隣り合うレンズ群の間隔が変化するように各レンズ群が移動するズームレンズであって、前記最終レンズ群の焦点距離をｆｉｍｇ、前記フォーカシングレンズ群の焦点距離をｆｆ、広角端における全系の焦点距離をｆｗとするとき、
１．８  ＜  ｜ｆｉｍｇ／ｆｆ｜  ＜  １０．０
５．０  ＜  ｆｉｍｇ／ｆｗ  ＜  4０．０
なる条件式を満足することを特徴とするズームレンズ。
【請求項２】
−４．０  ＜  ｆｆ／ｆｗ  ＜  ０．０
なる条件式を満足することを特徴とする請求項１に記載のズームレンズ。
【請求項３】
広角端におけるバックフォーカスをＢＦＷとするとき、
ＢＦＷ／ｆＷ  ＜  １．５
なる条件式を満足することを特徴とする請求項１又は２に記載のズームレンズ。
【請求項４】
前記フォーカシングレンズ群は、像側に凹面を向けたメニスカス形状の負レンズよりなることを特徴とする請求項１乃至３のいずれか１項に記載の光学系。
【請求項５】
前記ズームレンズは、物体側から像側に順に、負の屈折力の第１レンズ群、正の屈折力の第２レンズ群、負の屈折力の第３レンズ群、正の屈折力の第４レンズ群からなり、前記フォーカシングレンズ群は前記第３レンズ群であり、前記最終レンズ群は前記第４レンズ群であることを特徴とする請求項１乃至４のいずれか１項に記載の光学系。
【請求項６】
前記ズームレンズは、物体側から像側へ順に、負の屈折力の第１レンズ群、正の屈折力の第２レンズ群、正の屈折力の第３レンズ群、負の屈折力の第４レンズ群、正の屈折力の第５レンズ群からなり、前記フォーカシングレンズ群は前記第４レンズ群であり、前記最終レンズ群は前記第５レンズ群であることを特徴とする請求項１乃至４のいずれか１項のズームレンズ。
【請求項７】
撮像素子に像を形成することを特徴とする請求項１乃至６のいずれか１項に記載のズームレンズ。
【請求項８】
請求項１乃至７のいずれか１項のズームレンズと、該ズームレンズによって形成される像を受光する撮像素子を備えることを特徴とする撮像装置。
【請求項９】
前記撮像素子に結像する像の最大像高をＹｍａｘとするとき、
ＢＦＷ／Ｙｍａｘ＜１．６
なる条件式を満足することを特徴とする請求項８の撮像装置。
【発明の詳細な説明】
【技術分野】
【０００１】
本発明は、ズームレンズに関し、デジタルカメラ、ビデオカメラ、ＴＶカメラ、監視用カメラ、銀塩フィルム用カメラ等の撮像装置に好適なものである。
【背景技術】
【０００２】
固体撮像素子を用いたビデオカメラ、デジタルスチルカメラ、監視カメラ等の撮像装置（カメラ）に用いる撮像光学系には所定の長さのバックフォーカスを有している。そして広画角で、全ズーム範囲にわたり高い光学性能を有した小型のズームレンズであることが求められている。
【０００３】
全系が小型で広画角化が容易なズームレンズとして、物体側に負の屈折力のレンズ群が位置するネガティブリード型のズームレンズが知られている。ネガティブリード型の広画角のズームレンズとして、物体側から像側へ順に、負、正、負、正の屈折力のレンズ群からなり、各レンズ群間隔を変化させてズーミングを行う４群ズームレンズが知られている。
【０００４】
この４群ズームレンズでは、望遠端のズーム位置で、第１レンズ群と第２レンズ群が全体として正の屈折力のレンズグループを構成し、光学系全体として所謂テレフォトタイプにすることができ、望遠端の焦点距離を長くしやすいといった特徴がある。この４群ズームレンズにおいて、フォーカスレンズ群の小型、軽量化を実現するため、フォーカスレンズ群を最も物体側のレンズ群以外に配置した、インナーフォーカス方式を用いた４群ズームレンズが知られている（特許文献１乃至３）。
【０００５】
この他物体側から像側へ順に、負、正、正、負、正の屈折力の第１乃至第５レンズ群よりなり、各レンズ群を移動させてズーミングを行う５群ズームレンズが知られている（特許文献４）。
【０００６】
これらのネガティブリード型のズームレンズにおいては種々なフォーカシング方式を用いられている。特許文献１では第１レンズ群を物体側から像側へ順に、負の屈折力の第１ａレンズ群と負の屈折力の第１ｂレンズ群に分割し、像側の第１ｂレンズ群でフォーカシングを行っている。特許文献２では第４レンズ群でフォーカシングを行っている。特許文献３では第３レンズ群でフォーカシングを行っている。特許文献４では第２レンズ群でフォーカシングを行っている。
【先行技術文献】
【特許文献】
【０００７】
【特許文献１】特開２００６−５８５８４号公報
【特許文献２】特開２００８−１９７１７６号公報
【特許文献３】特開２００１−３４３５８４号公報
【特許文献４】特開平０７−３０６３６２号公報
【発明の概要】
【発明が解決しようとする課題】
【０００８】
負の屈折力のレンズ群が先行するネガティブリード型のズームレンズは、広画角化が比較的容易であり、又長いバックフォーカスが容易に得られるという特徴がある。しかしながらネガティブリード型のズームレンズは開口絞りに対し、レンズ構成が非対称となるため、諸収差の補正が難しく、例えばフォーカシングの際の収差変動が多く高い光学性能を得ることが大変難しい。
【０００９】
特に高速なフォーカシングを行うため、第１レンズ群よりも像側の小型、軽量のレンズ群でフォーカシングを行うインナーフォーカス式ではフォーカシングの際の収差変動が増大する傾向がある。前述した４群ズームレンズや５群ズームレンズにおいて広画角化を図りつつレンズ系全体の小型化そして小型軽量のレンズ群で高速なフォーカシングを行うには、各レンズ群の屈折力（パワー）、レンズ構成等を適切に設定することが重要になってくる。
【００１０】
例えばフォーカスレンズ群や最終レンズ群の屈折力等を適切に設定しないと、全系の小型化を図りつつ、広画角で全ズーム範囲にわたり高い光学性能を有し、高速なフォーカシングを行うのが困難になってくる。この他フォーカシングに際して撮影倍率の変化が大きいとフォーカシングに際して撮影範囲が変わるため好ましくない。特に、動画撮影においては、フォーカシングに伴う撮影範囲の変化が記録されてしまうため好ましくない。本発明は、フォーカシングに際しての撮影倍率の変化が少なく、高速なフォーカシングが容易な広画角のズームレンズを提供することを目的とする。
【課題を解決するための手段】
【００１１】
本発明のズームレンズは、物体側から像側へ順に、負の屈折力の第１レンズ群、正の屈折力の第２レンズ群、フォーカシングに際して移動する負の屈折力のフォーカシングレンズ群、最も像側に配置された正の屈折力の最終レンズ群を有し、前記フォーカシングレンズ群と前記最終レンズ群は隣り合う位置に配置されており、ズーミングに際して隣り合うレンズ群の間隔が変化するように各レンズ群が移動するズームレンズであって、前記最終レンズ群の焦点距離をｆｉｍｇ、前記フォーカシングレンズ群の焦点距離をｆｆ、広角端における全系の焦点距離をｆｗとするとき、
１．８  ＜  ｜ｆｉｍｇ／ｆｆ｜  ＜  １０．０
５．０  ＜  ｆｉｍｇ／ｆｗ  ＜  ４０．０
なる条件式を満足することを特徴としている。
【発明の効果】
【００１２】
本発明によれば、フォーカシングに際しての撮影倍率の変化が少なく、高速なフォーカシングが容易な広画角のズームレンズが得られる。
【図面の簡単な説明】
【００１３】
【図１】実施例１のズームレンズの広角端におけるレンズ断面図
【図２】（Ａ），（Ｂ）  実施例１のズームレンズの無限遠物体にフォーカス時の縦収差図
【図３】実施例２のズームレンズの広角端におけるレンズ断面図
【図４】（Ａ），（Ｂ）  実施例２のズームレンズの無限遠物体にフォーカス時の縦収差図
【図５】実施例３のズームレンズの広角端におけるレンズ断面図
【図６】（Ａ），（Ｂ）  実施例３のズームレンズの無限遠物体にフォーカス時の縦収差図
【図７】実施例４のズームレンズの広角端におけるレンズ断面図
【図８】（Ａ），（Ｂ）  実施例４のズームレンズの無限遠物体にフォーカス時の縦収差図
【図９】実施例５のズームレンズの広角端におけるレンズ断面図
【図１０】（Ａ），（Ｂ）  実施例５のズームレンズの無限遠物体にフォーカス時の縦収差図
【図１１】実施例６のズームレンズの広角端におけるレンズ断面図
【図１２】（Ａ），（Ｂ）  実施例６のズームレンズの無限遠物体にフォーカス時の縦収差図
【図１３】本発明の撮像装置の要部概略図
【発明を実施するための形態】
【００１４】
以下、本発明のズームレンズ及びそれを有する撮像装置について説明する。本発明のズームレンズは、物体側から像側へ順に、負の屈折力の第１レンズ群、正の屈折力の第２レンズ群、そして最も像側に正の屈折力の最終レンズ群、該最終レンズ群の物体側に隣接している。そしてフォーカシングに際して移動する負の屈折力のフォーカシングレンズ群を有する。フォーカスレンズ群Ｌｆは像側に凹面を向けたメニスカス形状の負レンズからなっている。
【００１５】
図１，図３，図５，図７，図９，図１１は各々本発明の実施例１乃至６の広角端におけるレンズ断面図である。図２，図４，図６，図８，図１０，図１２は、各々本発明の実施例１乃至６の縦収差図である。収差図において（Ａ）、（Ｂ）は各々無限遠物体にフォーカスしているときの広角端と望遠端における縦収差図である。図１３は、本発明のズームレンズを備えるカメラ（撮像装置）の要部概略図である。各実施例のズームレンズはビデオカメラやデジタルカメラ、銀塩フィルムカメラなどの撮像装置に用いられる撮影レンズ系である。
【００１６】
レンズ断面図において、左方が物体側（前方）で、右方が像側（後方）である。また、レンズ断面図において、ＯＬはズームレンズである。またｉを物体側からのレンズ群の順番とすると、Ｌｉは第ｉレンズ群を示す。Ｌｆはフォーカシングレンズ群、Ｌｉｍｇは最終レンズ群を示す。ＳＰは開口絞りである。
【００１７】
ＩＰは像面である。像面ＩＰは、デジタルカメラやビデオカメラ、監視カメラの撮影光学系としてズームレンズを使用する際には、ＣＣＤセンサやＣＭＯＳセンサなどの撮像素子（光電変換素子）の撮像面に相当する。また、銀塩フィルムカメラの撮影光学系としてズームレンズを使用する際には、フィルム面に相当する。ＯＡは光軸である。尚、以下の各実施例において広角端と望遠端は変倍用レンズ群が機構上、光軸上移動可能な範囲の両端に位置したときのズーム位置をいう。レンズ断面図において、矢印は広角端から望遠端へのズーミングに際しての各レンズ群の移動軌跡を示している。
【００１８】
収差図において、ｄ（実線）、ｇ（二点鎖線）、Ｃ（一点鎖線）、Ｆ（破線）は各々ｄ線、ｇ線、Ｃ線、Ｆ線を表す。ΔＭ、ΔＳはそれぞれｄ線のメリディオナル像面、サジタル像面を表す。また歪曲収差はｄ線によって表している。またＦｎｏはＦナンバー、ωは半画角（度）である。
【００１９】
各実施例のズームレンズＯＬは物体側から像側へ順に、負の屈折力の第１レンズ群Ｌ１、正の屈折力の第２レンズ群Ｌ２を有する。更に最も像側に正の屈折力の最終レンズ群Ｌｉｍｇ、最終レンズ群Ｌｉｍｇの物体側にはフォーカシングに際して光軸上を移動する負の屈折力のフォーカシングレンズ群Ｌｉを有する。最終レンズ群Ｌｉｍｇの焦点距離をｆｉｍｇ、フォーカシングレンズ群Ｌｉの焦点距離をｆｆ、広角端における全系の焦点距離をｆｗとする。このとき、
１．８  ＜  ｜ｆｉｍｇ／ｆｆ｜  ＜  １０．０    ・・・（１）
５．０  ＜  ｆｉｍｇ／ｆｗ  ＜  4０．０          ・・・（２）
なる条件式を満足している。
【００２０】
次に前述の条件式（１）、（２）の技術的意味について説明する。条件式（１）は最も像側に配置された最終レンズ群Ｌｉｍｇの焦点距離とその物体側に隣接して配置したフォーカスレンズ群Ｌｆの焦点距離の比に関する。
【００２１】
条件式（１）の下限を下回って最終レンズ群Ｌｉｍｇの焦点距離が相対的にフォーカシングレンズ群Ｌｉの焦点距離の絶対値よりも小さくなると最終レンズ群Ｌｉｍｇの正の屈折力が強くなる。そうするとズームレンズ全体としてレトロフォーカス型の傾向が強くなり、諸収差の発生が多くなり、特に像面湾曲が増大し、この補正が困難となる。あるいは、フォーカシングレンズ群Ｌｉの焦点距離の絶対値が大きくなり、フォーカシングレンズ群Ｌｉの屈折力が弱まり、フォーカシングに際しての駆動量が大きくなってくるので良くない。
【００２２】
逆に条件式（１）の上限を上回って、最終レンズ群Ｌｉｍｇの焦点距離が大きくなり、正の屈折力が弱くなると、所定の長さのバックフォーカスの確保が困難となる。あるいは、フォーカシングレンズ群Ｌｉの焦点距離の絶対値が小さくなり、負の屈折力が強まると、フォーカシングに際して収差変動が大きくなってくる。
【００２３】
条件式（２）は最も像側に配置された最終レンズ群Ｌｉｍｇの焦点距離を広角端における全系の焦点距離で割って規格化したものである。条件式（２）の下限を下回ると、最終レンズ群Ｌｉｍｇの焦点距離が短くなり、正の屈折力が強くなる。そうすると、ズームレンズ全体として所定の長さのバックフォーカスの確保は容易になるが、その分、物体側の負の屈折力のレンズ群の屈折力を強める必要がある。
【００２４】
そうするとレトロフォーカス型の光学配置の傾向が強くなり、球面収差、コマ収差、像面湾曲、歪曲等を始めとする諸収差が増大し、特に像面特性が増大し、この補正が困難となる。またバックフォーカスが伸びるとその分、ズームレンズのレンズ全長が増大して好ましくない。逆に条件式（２）の上限を上回ると最終レンズ群Ｌｉｍｇの焦点距離が長くなり、正の屈折力が弱まる。そうすると、バックフォーカスが短くなりすぎて、像側に撮像素子やフィルター等を配置するのが困難になる。
【００２５】
以上のように条件式（１），（２）は、全系を小型に保ちつつ諸収差を良好に補正するために必要な条件式である。更にバックフォーカスを十分確保すること、フォーカシングレンズ群の駆動量を少なくすること、フォーカシングに際しての収差変動を小さくするために必要なものである。更に好ましくは条件式（１），（２）の数値範囲を次の如く設定するのが良い。
【００２６】
２．０  ＜  ｜ｆｉｍｇ／ｆｆ｜  ＜  ９．０      ・・・（１ａ）
６．０  ＜  ｆｉｍｇ／ｆｗ  ＜  ３０．０        ・・・（２ａ）
更に好ましくは条件式（１ａ），（２ａ）の数値範囲を次の如く設定するのが良い。
２．２  ＜  ｜ｆｉｍｇ／ｆｆ｜  ＜  ８．０        ・・・（１ｂ）
７．０  ＜  ｆｉｍｇ／ｆｗ  ＜  ２６．０          ・・・（２ｂ）
本発明のズームレンズにおいて更に好ましくは次の条件式のうち１以上を満足するのが良い。
【００２７】
広角端におけるバックフォーカスをＢＦＷとする。このとき、
−４．０  ＜  ｆｆ／ｆｗ  ＜  ０．０        ・・・（３）
ＢＦＷ／ｆＷ  ＜  １．５                  ・・・（４）
なる条件式のうち１以上を満足するのが良い。
【００２８】
本発明のズームレンズはフォーカシングレンズ群を光線の通過高さの低い最終レンズ群付近に配置することで、フォーカスレンズ群の小型化を図り、高速なフォーカシングを容易にしている。さらに、フォーカス駆動量が少なくなること、適切なパワー配置をとることと合わせてフォーカシングに伴う像倍率の変化も抑えている。
【００２９】
条件式（３）はこのときのフォーカスレンズ群Ｌｆの焦点距離ｆｆを広角端における全系の焦点距離で割って規格化したものである。条件式（３）の下限を下回ると、フォーカスレンズ群Ｌｆの焦点距離の絶対値が大きくなり、負の屈折力が弱まる。そうすると、フォーカスレンズ群Ｌｆのフォーカス敏感度が下がり、フォーカシングに際しての移動量が増え、高速なフォーカシングが困難になる。またフォーカスレンズ群Ｌｉの移動量に相当するスペースをズームレンズ中に確保する必要があり全系が大型化してくる。
【００３０】
逆に条件式（３）の上限を上回った場合はフォーカスレンズ群Ｌｆの焦点距離が正となり、フォーカシングに伴う収差変動の補正が困難となる。条件式（３）は以下の範囲とすると、更に好ましい。
【００３１】
−４．０  ＜  ｆｆ／ｆｗ  ＜  −１．０         ・・・（３ａ）
更に好ましくは、以下の範囲とするのが良い。
【００３２】
−３．８  ＜  ｆｆ／ｆｗ  ＜  −１．５         ・・・（３ｂ）
条件式（４）は広角端におけるバックフォーカスＢＦｗを広角端における焦点距離で割って規格化したものである。条件式（４）の上限を上回るとバックフォーカスが長くなり、その分、ズームレンズが大型化してしまう。条件式（４）は以下の範囲とすると、更に好ましい。
【００３３】
０．７  ＜  ＢＦＷ／ｆＷ  ＜  １．５            ・・・（４ａ）
更に好ましくは、以下の範囲とするのが良い。
【００３４】
０．８０  ＜  ＢＦＷ／ｆＷ  ＜  １．４６        ・・・（４ｂ）
また各実施例のズームレンズを撮像素子を有する撮像装置に適用したときには次の条件式を満足するのが良い。撮像素子に結像する像の最大像高をＹｍａｘ（ｍｍ）とする。このとき、
ＢＦＷ／Ｙｍａｘ  ＜  １．６                   ・・・（５）
なる条件式を満足するのが良い。
【００３５】
条件式（５）は本発明のズームレンズを撮像装置に用いたときの広角端におけるバックフォーカスと最大像高の比である。条件式（５）の上限を上回ると相対的にバックフォーカスが長くなり、その分、ズームレンズが大型化してしまう。また射出瞳距離も長くなる傾向となり、そのためにレトロフォーカス型のパワー配置が強まり、諸収差、特に像面湾曲が悪化してくる。条件式（５）は以下の範囲とすると、更に好ましい。
【００３６】
０．７  ＜  ＢＦＷ／Ｙｍａｘ  ＜  １．５                     ・・・（５ａ）
更に好ましくは、以下の範囲とするのが良い。
【００３７】
０．７５  ＜  ＢＦＷ／Ｙｍａｘ  ＜  １．４６          ・・・（５ｂ）
また、本発明において、フォーカシング群Ｌｆは１枚のレンズよりなるのが良い。高速でフォーカシングを行うにはフォーカスレンズ群の重量が極力軽いことが必要である。そのためにはフォーカスレンズ群は１枚のレンズからなることが好ましい。
【００３８】
また、このフォーカスレンズ群は像側に凹面を向けたメニスカス形状の負レンズより構成している。このフォーカスレンズ群Ｌｉは無限遠物体から近距離物体にフォーカシングをする際には、光軸上を像側に移動する。この時に軸上光束がフォーカスレンズ群を通過する入射高さの変化を考える。フォーカスレンズ群Ｌｉの物体側の面が物体側に凸形状か、物体側に凹形状の場合を比較すると、物体側に凸を向けた場合の方が、フォーカスレンズ群Ｌｉが動いた際の軸上光束の通過する入射高さの変化が小さい。これはフォーカスレンズ群Ｌｉの像側の面についても同様である。
【００３９】
フォーカスレンズ群Ｌｉを通過する光線の入射高さの変化が小さければ、当然収差変動も小さくすることができる。したがって、フォーカスレンズ群Ｌｉの形状は物体側の面及び像側の面が共に物体側に凸を向けた（像側に凹面を向けた）、メニスカス形状の負レンズであることが好ましい。フォーカスレンズ群Ｌｉを像側に凹面を向けたメニスカス形状の負レンズとすることで、フォーカシングに伴う収差変動、特に球面収差の変動を小さくすることが容易となる。
【００４０】
［実施例１］
以下、図１を参照して、本発明の実施例１のズームレンズＯＬについて説明する。実施例１のズームレンズＯＬは焦点距離１１．０ｍｍ〜２２．０ｍｍ（撮影画角１０２．３°〜６３．７°）の広画角のズームレンズである。ズームレンズＯＬは負の屈折力の第１レンズ群Ｌ１、正の屈折力の第２レンズ群Ｌ２、負の屈折力の第３レンズ群Ｌ３、正の屈折力の第４レンズ群Ｌ４より構成されている。
【００４１】
このズームレンズＯＬにおいては第４レンズ群Ｌ４が最終レンズ群（Ｌｉｍｇ）である。第３レンズ群Ｌ３は無限遠物体から近距離物体へのフォーカシングに際して光軸に沿って像側へ移動するフォーカスレンズ群（Ｌｆ）である。また、このフォーカスレンズ群（Ｌｆ）は像側に凹面を向けたメニスカス形状の負レンズからなる。広角端における全系の焦点距離は１１．０ｍｍである。第３レンズ群Ｌ３と第４レンズ群Ｌ４の焦点距離はそれぞれ、−２６．７７ｍｍ、９３．１２ｍｍである。
【００４２】
本実施例において条件式（１）で示される第４レンズ群Ｌ４と第３レンズ群Ｌ３の焦点距離の比の絶対値は３．４８であり、条件式（２）で示される第４レンズ群Ｌ４と全系の焦点距離を規格化した値は８．４７である。
【００４３】
実施例１のズームレンズは上記のようなパワー配置で広角端における画角２ωが１０２．３°の広画角のズームレンズを実現している。このようなパワー配置とすることで、レトロフォーカス型のパワー配置を強めすぎることなく、図２からわかるように球面収差、コマ収差、像面湾曲、歪曲を始めとする諸収差を良好に補正している。
【００４４】
さらに、フォーカシング用の第３レンズ群Ｌ３をズームレンズＯＬの物体側に配置するのではなく、最終レンズ群に隣接させることでこのレンズ群の光線有効径が１２ｍｍ前後と小型化し、更に重量を軽くしている。また、第３レンズ群Ｌ３の位置と適切なパワー配置によって、フォーカシングに伴う像倍率の変化も抑えている。その結果、最長レンズ全長が９０．３６ｍｍ（望遠端）と小型でありながら、フォーカシングに伴う像倍率の変化が少なく、第３レンズ群Ｌ３が小型軽量であるため高速なフォーカシングを容易にしている。
【００４５】
［実施例２］
以下、図３を参照して、本発明の実施例２のズームレンズＯＬについて説明する。実施例２のズームレンズＯＬは焦点距離１２．０ｍｍ〜２３．７ｍｍ（撮影画角９７．３°〜６０°）の広画角のズームレンズである。実施例２のズームレンズのズームタイプは実施例１と同じである。フォーカシング用の第３レンズ群Ｌ３のレンズ構成も実施例１と同じである。広角端における全系の焦点距離は１２．０ｍｍである。第３レンズ群Ｌ３と第４レンズ群Ｌ４の焦点距離はそれぞれ、−４０．４５ｍｍ、３０８．１０ｍｍである。
【００４６】
本実施例において条件式（１）で示される絶対値は７．６２であり、条件式（２）で示される値は２５．６１である。
【００４７】
実施例２のズームレンズは上記のようなパワー配置で広角端における撮影画角２ωが９７．３°の広画角のズームレンズを実現している。このようなパワー配置とすることで、レトロフォーカス型のパワー配置を強めすぎることなく、図４からわかるように球面収差、コマ収差、像面湾曲、歪曲を始めとする諸収差を良好に補正している。さらに、フォーカシング用の第３レンズ群Ｌ３をズームレンズＯＬの物体側に配置するのではなく、最終レンズ群に隣接させることでこのレンズ群の光線有効径が１３ｍｍ前後と小型化し、更に重量を軽くしている。
【００４８】
また、第３レンズ群Ｌ３の位置と適切なパワー配置によって、フォーカシングに伴う像倍率の変化も抑えている。その結果、最長レンズ全長が９５．７３ｍｍ（望遠端）と小型でありながら、フォーカシングに伴う像倍率の変化が少なく、第３レンズ群Ｌ３が小型軽量であるため高速なフォーカシングを容易にしている。
【００４９】
［実施例３］
以下、図５を参照して、本発明の実施例３のズームレンズＯＬについて説明する。実施例３のズームレンズＯＬは焦点距離１１．０ｍｍ〜２２．０ｍｍ（撮影画角１０２．３°〜６３．７°）の広画角のズームレンズである。実施例３のズームレンズのズームタイプは実施例１と同じである。フォーカシング用の第３レンズ群Ｌ３のレンズ構成も実施例１と同じである。
【００５０】
広角端における全系の焦点距離は１１．０ｍｍである。第３レンズ群Ｌ３と第４レンズ群Ｌ４の焦点距離はそれぞれ、−３８．０７ｍｍ、１０５．５７ｍｍである。
【００５１】
本実施例において条件式（１）で示される絶対値は２．７７であり、条件式（２）で示される値は９．６０である。実施例３のズームレンズは上記のようなパワー配置で広角端における撮影画角２ωが１０２．３°の広画角のズームレンズを実現している。このようなパワー配置とすることで、レトロフォーカス型のパワー配置を強めすぎることなく、図６からわかるように球面収差、コマ収差、像面湾曲、歪曲を始めとする諸収差を良好に補正している。
【００５２】
さらに、フォーカシング用の第３レンズ群Ｌ３をズームレンズＯＬの物体側に配置するのではなく、最終レンズ群に隣接させることでこのレンズ群の光線有効径が１２ｍｍ前後と小型化し、更に重量を軽くしている。また、第３レンズ群Ｌ３の位置と適切なパワー配置によって、フォーカシングに伴う像倍率の変化も抑えている。その結果、最長レンズ全長が９０．０ｍｍ（広角端）と小型でありながら、フォーカシングに伴う像倍率の変化が少なく、第３レンズ群Ｌ３が小型軽量であるため高速なフォーカシングを容易にしている。
【００５３】
［実施例４］
以下、図７を参照して、本発明の実施例４のズームレンズＯＬについて説明する。実施例４のズームレンズＯＬは焦点距離１１．０ｍｍ〜２２．０ｍｍ（撮影画角１０２．３°〜６３．７°）の広画角のズームレンズである。実施例４のズームレンズのズームタイプは実施例１と同じである。フォーカシング用の第３レンズ群Ｌ３のレンズ構成も実施例１と同じである。
【００５４】
広角端における全系の焦点距離は１１．０ｍｍである。第３レンズ群Ｌ３と第４レンズ群Ｌ４の焦点距離はそれぞれ、−３４．０８ｍｍ、７８．８１ｍｍである。本実施例において条件式（１）で示される絶対値は２．３１であり、条件式（２）で示される値は７．１６である。
【００５５】
実施例４のズームレンズは上記のようなパワー配置で広角端における撮影画角２ωが１０２．３°の広画角のズームレンズを実現している。このようなパワー配置とすることで、レトロフォーカス型のパワー配置を強めすぎることなく、図８からわかるように球面収差、コマ収差、像面湾曲、歪曲を始めとする諸収差を良好に補正している。
【００５６】
さらに、フォーカシング用の第３レンズ群Ｌ３をズームレンズＯＬの物体側に配置するのではなく、最終レンズ群に隣接させることでこのレンズ群の光線有効径が１３ｍｍ前後と小型化し、更に重量を軽くしている。また、第３レンズ群Ｌ３の位置と適切なパワー配置によって、フォーカシングに伴う像倍率の変化も抑えている。その結果、最長レンズ全長が９０．３ｍｍ（望遠端）と小型でありながら、フォーカシングに伴う像倍率の変化が少なく、第３レンズ群Ｌ３が小型軽量であるため高速なフォーカシングを容易にしている。
【００５７】
［実施例５］
以下、図９を参照して、本発明の実施例５のズームレンズＯＬについて説明する。実施例５のズームレンズＯＬは焦点距離１１．０ｍｍ〜２２．０ｍｍ（撮影画角１０２．３°〜６３．７°）の広画角のズームレンズである。実施例５のズームレンズのズームタイプは実施例１と同じである。フォーカシング用の第３レンズ群Ｌ３のレンズ構成も実施例１と同じである。広角端における焦点距離は１１．０ｍｍである。第３レンズ群Ｌ３と第４レンズ群Ｌ４の焦点距離はそれぞれ、−３１．２１ｍｍ、２３４．２３ｍｍである。
【００５８】
本実施例において条件式（１）で示される絶対値は７．５０であり、条件式（２）で示される値は２１．２９である。
【００５９】
実施例５のズームレンズは上記のようなパワー配置で広角端における撮影画角２ωが１０２．３°の広画角のズームレンズを実現している。このようなパワー配置とすることで、レトロフォーカス型のパワー配置を強めすぎることなく、図１０からわかるように球面収差、コマ収差、像面湾曲、歪曲を始めとする諸収差を良好に補正している。
【００６０】
さらに、フォーカシング用の第３レンズ群Ｌ３をズームレンズＯＬの物体側に配置するのではなく、最終レンズ群に隣接させることでこのレンズ群の光線有効径が１３ｍｍ前後と小型化し、更に重量を軽くしている。また、第３レンズ群Ｌ３の位置と適切なパワー配置によって、フォーカシングに伴う像倍率の変化も抑えている。その結果、最長レンズ全長が９０．３ｍｍ（望遠端）と小型でありながら、フォーカシングに伴う像倍率の変化が少なく、第３レンズ群Ｌ３が小型軽量であるため高速なフォーカシングを容易にしている。
【００６１】
［実施例６］
以下、図１１を参照して、本発明の実施例６のズームレンズＯＬについて説明する。実施例６のズームレンズＯＬは焦点距離１８．２ｍｍ〜４４．０ｍｍ（撮影画角７３．８°〜３４．５°）の広画角のズームレンズである。ズームレンズＯＬは負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５より構成されている。
【００６２】
このズームレンズにおいては第５レンズ群Ｌ５が最終レンズ群（Ｌｉｍｇ）である。第４レンズ群Ｌ４は無限遠物体から近距離物体へのフォーカシングに際して光軸に沿って像側へ移動するフォーカスレンズ群（Ｌｆ）である。また、このフォーカスレンズ群（Ｌｆ）は像側に凹面を向けたメニスカス形状の負レンズからなる。広角端における全系の焦点距離は１８．２ｍｍである。第４レンズ群Ｌ４と第５レンズ群Ｌ５の焦点距離はそれぞれ、−２９．４４ｍｍ、９５．２６ｍｍである。
【００６３】
本実施例において条件式（１）で示される絶対値は３．２４であり、条件式（２）で示される値は５．２３である。
【００６４】
実施例６のズームレンズは上記のようなパワー配置で広角端における撮影画角２ωが７３．８°の広画角のズームレンズを実現している。このようなパワー配置とすることで、レトロフォーカス型のパワー配置を強めすぎることなく、図１２からわかるように球面収差、コマ収差、像面湾曲、歪曲を始めとする諸収差を良好に補正している。
【００６５】
さらに、フォーカシング用の第４レンズ群Ｌ４をズームレンズＯＬの物体側に配置するのではなく、最終レンズ群に隣接させることでこのレンズ群の光線有効径が９ｍｍ前後と小型化し、更に重量を軽くしている。また、第４レンズ群Ｌ４の位置と適切なパワー配置によって、フォーカシングに伴う像倍率の変化も抑えている。その結果、最長レンズ全長が１１０．００ｍｍ（広角端）と小型でありながら、フォーカシングに伴う像倍率の変化が少なく、第４レンズ群Ｌ４が小型軽量であるため高速なフォーカシングを容易にしている。
【００６６】
図１３は一眼レフカメラの要部概略図である。図１３において、１０は実施例１〜６のズームレンズ１を有する撮影光学系である。撮影光学系１は保持部材である鏡筒２に保持されている。２０はカメラ本体である。カメラ本体２０はクイックリターンミラー３、焦点板４、ペンタダハプリズム５、接眼レンズ６等によって構成されている。
【００６７】
クイックリターンミラー３は、撮影光学系１０からの光束を上方に反射する。焦点板４は撮影光学系１０の像形成位置に配置されている。ペンタダハプリズム５は焦点板４に形成された逆像を正立像に変換する。観察者は、その正立像を接眼レンズ６を介して観察する。７は感光面であり、像を受光するＣＣＤセンサやＣＭＯＳセンサ等の固体撮像素子（光電変換素子）や銀塩フィルムが配置される。撮影時にはクイックリターンミラー３が光路から退避して、感光面７上に撮影光学系１０によって像側形成される。
【００６８】
このように本発明のズームレンズを一眼レフカメラ交換レンズ等の撮像装置に適用することにより、高い光学性能を有する光学機器を実現している。
【００６９】
この他本発明のズームレンズはクイックリターンミラーのないミラーレンズの一眼レフカメラにも同様に適用することができる。尚、本発明のズームレンズは、デジタルカメラ・ビデオカメラ・銀塩フィルム用カメラ等の他に望遠鏡、双眼鏡、複写機、プロジェクター等の光学機器にも適用できる。
【００７０】
以上、本発明の好ましい実施形態について説明したが、本発明はこれらの実施形態に限定されず、その要旨の範囲内で種々の変形及び変更が可能である。
【００７１】
以下、数値実施例１〜６のズームレンズの具体的な数値データを示す。ｉは物体から数えた順序を示す。面番号ｉは物体側から順に数えている。Ｒｉは曲率半径(mm)、Ｄｉは第ｉ番目と第ｉ＋１番目の面間隔(mm)である。Ｎｄｉとνｄｉはそれぞれｄ線に対する第ｉ面と第（ｉ＋１）面との間の媒質の屈折率、アッベ数を表す。またＢＦはバックフォーカスである。レンズ全長は第１レンズ面から像面までの距離を表す。
【００７２】
また、非球面は面番号の後に、＊の符号を付加して表している。非球面形状は、Ｘを光軸方向の面頂点からの変位量、ｈを光軸と垂直な方向の光軸からの高さ、ｒを近軸曲率半径、Ｋを円錐定数、Ｂ、Ｃ、Ｄ、Ｅ・・・を各次数の非球面係数とするとき、
【００７３】
【数１】
2014026211.tif 000003
【００７４】
で表す。なお、各非球面係数における「Ｅ±ＸＸ」は「×１０±ＸＸ」を意味している。前述の各条件式に関係した数値を表１に示す。表２に前述の各条件式に相当する数値を示す。
【００７５】
[数値実施例１]
単位 mm     
面番号        R           D         Nd         νd      光線有効径
1           30.452      2.30      1.77250      49.6        30.34
2*           8.896      8.59                               20.18
3          -64.867      1.20      1.77250      49.6        19.74
4           19.876      2.78                               18.43
5           25.154      3.91      1.73800      32.3        19.02
6          -83.477     (可変)                              18.71
7          -94.280      1.21      1.83400      37.2         9.22
8          -36.820      3.50                                9.36
9(絞り)       ∞        2.00                                9.64
10          12.993      4.68      1.51823      58.9         9.98
11         -10.954      0.80      1.83400      37.2         9.43
12          19.514      0.40                                9.43
13          13.843      4.02      1.48749      70.2         9.74
14         -13.973      0.15                               10.33
15         -63.398      3.49      1.76182      26.5        10.49
16          -8.985      0.80      1.83400      37.2        10.80
17         -25.030      0.15                               11.23
18          30.854      5.63      1.49700      81.5        11.24
19          -8.100      0.80      1.88300      40.8        10.90
20         -43.415      (可変)                             11.59
21          62.117      0.80      1.83400      37.2        12.13
22          16.329      (可変)                             12.23
23          50.797      2.55      1.48749      70.2        19.34
24        -419.766      (可変)                             20.01
像面           ∞                                      
【００７６】
非球面
データ                                                       
円錐定数    4次の係数     6次の係数     8次の係数   10次の係数
K              B            C            D            E
第2面 -4.7384E-01    7.3430E-06   -1.2623E-07  1.8138E-09   -9.1816E-12
各種データ      広角端          中間           望遠端 
焦点距離        11.00           15.50          22.00
Fno              4.00            4.60           5.60
半画角ω（度）  51.16           41.39          31.84
像高            13.66           13.66          13.66
レンズ全長      90.36           85.76          87.31
BF              11.06           16.81          25.49
入射瞳位置      12.53           11.56          10.61
射出瞳位置     -25.36          -24.91         -24.74
前側主点位置    20.21           21.30          22.97
後側主点位置     0.06            1.31           3.49
可変間隔 
面番号         広角端           中間           望遠端 
6              20.48            10.13           3.00
20              1.30             1.73           1.90
22              7.77             7.34           7.17
24             11.06            16.81          25.49
群データ                                                       
群        始面     焦点距離    レンズ構成長    前側主点位置  後側主点位置
1            1      -16.33         18.77           0.75        -17.57
2            7       18.63         27.64           8.13        -12.46
3           21      -26.77          0.80           0.60          0.16
4           23       93.12          2.55           0.19         -1.53 
単レンズデータ                                            
レンズ     始面        焦点距離  
1            1         -17.060   
2            3         -19.570   
3            5          26.600   
4            7          71.750   
5           10          12.290   
6           11          -8.310   
7           13          14.970   
8           15          13.370   
9           16         -17.200   
10          18          13.560   
11          19         -11.400   
12          21         -26.770   
13          23          93.120   
【００７７】
[数値実施例２]
単位    mm                    
面番号        R           D         Nd        νd     光線有効径
1          24.756       1.50     1.88300     40.8        31.54
2          13.493       3.34                             24.41
3          15.534       1.80     1.58313     59.4        23.50
4*          7.468       9.77                             18.53
5         -31.870       1.20     1.58913     61.1        17.96
6          33.804       0.15                             17.75
7          23.445       3.93     1.73800     32.3        17.93
8        -102.949       (可変)                           17.55
9         -88.715       1.43     1.77250     49.6         9.53
10        -34.817       3.57                              9.77
11(絞り)    ∞          1.91                             10.26
12         16.496       4.12     1.59551     39.2        10.62
13        -12.959       0.80     1.83400     37.2        10.24
14         24.029       1.59                             10.15
15         14.291       4.62     1.49700     81.5        10.90
16        -24.473       0.15                             11.57
17         35.328       0.80     1.88300     40.8        11.73
18         10.947       3.83     1.56384     60.7        11.54
19        -48.946       0.13                             11.79
20         63.696       5.40     1.60342     38.0        11.85
21         -8.216       0.80     1.88300     40.8        11.80
22        -46.523       (可変)                           12.58
23         29.911       0.70     1.91082     35.3        13.30
24         16.324       (可変)               13.19
25         62.139       2.85     1.58313     59.4        19.88
26*        93.393       (可変)               20.70
像面         ∞                
非球面
データ                    
円錐定数   4次の係数    6次の係数   8次の係数    10次の係数
K          B            C           D            E
第4面  -9.5172E-01  1.2862E-04   2.0642E-07  7.9480E-09  -3.1156E-11
第26面  0.0000E+00 -2.3175E-06  -8.8498E-08  6.6362E-10  -2.5916E-12
各種データ    広角端    中間    望遠端 
焦点距離      12.03    17.00     23.66  
Fno            4.00     4.69      5.60 
半画角ω（度）48.63    38.78     30.00 
像高          13.66    13.66     13.66  
レンズ全長    94.79    92.90     95.73 
BF            10.99    17.95     26.98 
入射瞳位置    14.68    13.78     12.92 
射出瞳位置   -25.93   -25.96    -25.83 
前側主点位置  22.79    24.20     25.98 
後側主点位置  -1.04     0.95      3.32 
可変間隔                    
面番号    広角端      中間       望遠端        
8         18.54        9.70        3.50            
22         1.49        1.44        1.64            
24         9.38        9.43        9.22            
26        10.99       17.95       26.98            
群データ                    
群    始面   焦点距離   レンズ構成長  前側主点位置   後側主点位置
1      1      -16.22        21.68        3.19          -16.28    
2      9       20.05        29.16        8.92          -13.33    
3     23      -40.45         0.70        0.83            0.45    
4     25      308.10         2.85       -3.46           -5.20    
単レンズデータ                
レンズ 始面  焦点距離            
1        1   -35.820            
2        3   -26.870            
3        5   -27.660            
4        7    26.220            
5        9    73.340            
6       12    12.860            
7       13   -10.000            
8       15    18.900            
9       17   -18.250            
10      18    16.240            
11      20    12.410            
12      21   -11.410            
13      23   -40.450            
14      25   308.100            
【００７８】
[数値実施例３]
単位 mm     
面番号        R           D          Nd        νd     光線有効径
1*         50.214       2.30       1.58313    59.4        32.10
2*          8.890       9.13                              20.52
3         -43.823       1.20       1.77250    49.6        19.85
4          16.692       2.56                              18.10
5          24.841       3.70       1.91082    35.3        18.76
6        -110.630        (可変)                           18.47
7        -130.232       1.28       1.69680    55.5         9.09
8         -36.876       3.50                               9.23
9(絞り)       ∞        2.00                               9.62
10         11.211       4.49       1.51742    52.4        10.00
11        -14.765       0.80       1.88300    40.8         9.35
12         14.950       0.40                               9.19
13         11.819       4.14       1.53172    48.8         9.50
14        -17.101       0.67                              10.23
15         31.522       6.71       1.49700    81.5        10.51
16         -7.227       0.67       1.85400    40.4        10.44
17*       -26.546       (可変)                            11.29
18         43.166       0.80       1.83400    37.2        12.11
19         18.139       (可変)                            12.20
20         62.546       6.85       1.62588    35.7        16.56
21        -12.150       1.00       1.83481    42.7        17.50
22        -50.363       (可変)                            19.50
像面         ∞    
【００７９】
非球面
データ     
円錐定数   4次の係数    6次の係数   8次の係数  10次の係数
K          B            C           D            E
第1面    0.0000E+00  2.2514E-05  -6.3808E-08  4.2156E-11  1.4451E-13
第2面   -4.7832E-01  9.5239E-06  -6.2835E-08  2.4304E-09 -4.1669E-11
第17面   0.0000E+00  2.6963E-05   3.6258E-07 -5.2493E-09  1.9541E-10
各種データ    広角端     中間     望遠端  
焦点距離      11.00     15.50     22.00   
Fno            4.00      4.63      5.60   
半画角ω（度）51.16     41.39     31.84   
像高          13.66     13.66     13.66   
レンズ全長    89.99     86.41     88.30   
BF            11.04     17.16     26.00   
入射瞳位置    12.79     11.87     10.93   
射出瞳位置   -25.50    -25.33    -25.17   
前側主点位置  20.48     21.71     23.47   
後側主点位置   0.04      1.66      4.00   
可変間隔     
面番号       広角端    中間      望遠端  
6            19.65     9.95       3.00   
17            1.30     1.53       1.75   
19            5.78     5.55       5.33   
22           11.04    17.16      26.00   
群データ     
群     始面     焦点距離     レンズ構成長    前側主点位置  後側主点位置
1        1       -16.02         18.89            1.27        -16.90 
2        7        19.48         24.67            6.45        -12.34 
3       18       -38.07          0.80            0.76          0.32 
4       20       105.57          7.85            0.75         -4.08 
単レンズデータ    
レンズ   始面    焦点距離   
1        1     -18.910   
2        3     -15.510   
3        5      22.570   
4        7      73.410   
5       10      13.090   
6       11      -8.310   
7       13      13.830   
8       15      12.550   
9       16     -11.820   
10       18     -38.070   
11       20      16.850   
12       21     -19.410   
【００８０】
[数値実施例４]
単位 mm     
面番号        R          D         Nd        νd        光線有効径
1          34.122       1.60     1.58313     59.4         31.19
2*          8.028       9.42                              19.95
3         -71.877       1.20     1.77250     49.6         19.48
4          17.965       2.39                              17.94
5          22.361       3.69     1.80000     29.8         18.39
6        -196.840      (可変)                             17.99
7        -118.088       1.92     1.48749     70.2         10.90
8         -27.338       3.50                              10.81
9(絞り)     ∞          2.00                               9.54
10         13.335       7.54     1.48749     70.2         10.78
11        -15.343       0.80     1.83400     37.2          9.63
12         26.144       0.15                               9.56
13         11.701       3.99     1.49700     81.5         10.36
14        -17.985       0.15                              10.79
15        -84.127       5.08     1.74077     27.8         10.81
16         -8.398       0.80     1.85400     40.4         11.02
17*       -59.178      (可変)                             11.47
18        146.634       0.80     1.83400     37.2         13.30
19         23.749      (可変)                             13.66
20         24.648       5.30     1.48749     70.2         18.30
21        -29.395       0.80     1.83400     37.2         18.93
22       -199.614      (可変)                             19.75
像面        ∞    
【００８１】
非球面
データ     
円錐定数   4次の係数    6次の係数   8次の係数   10次の係数
K            B            C           D            E
第 2面 -5.4449E-01   6.5936E-06  1.3705E-08  8.5783E-11  9.8148E-12
第17面  0.0000E+00  1.5302E-04   1.3290E-06  4.4175E-09  2.4817E-10
各種データ     広角端     中間     望遠端  
焦点距離       11.00      15.50    22.00   
Fno             3.78       4.49     5.60   
半画角ω（度） 51.16      41.39    31.84   
像高           13.66      13.66    13.66   
レンズ全長     87.38      85.14    90.28   
BF             11.27      17.83    28.86   
入射瞳位置     12.41      11.51    10.69   
射出瞳位置    -23.42     -24.00   -25.56   
前側主点位置   19.93      21.27    23.80   
後側主点位置    0.27       2.33     6.86   
可変間隔     
面番号         広角端     中間      望遠端  
6             17.69      8.89      3.00   
17              3.66      3.02      1.30   
19              3.62      4.26      5.98   
22             11.27     17.83     28.86   
群データ     
群   始面   焦点距離   レンズ構成長   前側主点位置    後側主点位置
1      1     -16.23       18.30           0.95          -16.42 
2      7      19.93       25.93           8.43          -12.09 
3     18     -34.08        0.80           0.52            0.08 
4     20      78.81        6.10          -1.99           -5.86 
単レンズデータ    
レンズ       始面      焦点距離   
1           1       -18.420   
2           3       -18.500   
3           5        25.290   
4           7        72.470   
5          10        16.010   
6          11       -11.490   
7          13        14.930   
8          15        12.240   
9          16       -11.540   
10          18       -34.080   
11          20        28.420   
12          21       -41.420   
【００８２】
[数値実施例５]
単位 mm     
面番号      R       D       Nd       νd      光線有効径
1        49.850    1.60   1.58313    59.4        33.47
2*        8.285   10.06                          21.35
3       -60.286    1.20   1.72916    54.7        20.95
4        19.148    1.61                          19.63
5        23.684    4.13   1.91082    35.3        20.11
6      -122.962   (可変)                         19.75
7       273.075    1.79   1.80400    46.6        10.68
8       -60.345    3.50                          10.39
9(絞り)    ∞      2.00                           9.01
10       13.521    3.59   1.49700    81.5         9.48
11      -16.809    0.80   1.88300    40.8         9.05
12       16.281    0.15                           8.95
13       13.245    2.70   1.58313    59.4         9.10
14*     -22.565    0.15                           9.17
15      438.452    0.80   1.88300    40.8         9.44
16        8.948    5.97   1.66998    39.3         9.95
17      -14.546   (可変)                         11.46
18       57.281    0.80   1.83400    37.2        12.43
19       17.781   (可変)                         12.45
20      149.796    3.32   1.48749    70.2        20.59
21      -38.337    0.80   1.80000    29.8        20.97
22      -87.392   (可変)                         21.47
像面       ∞    
【００８３】
非球面
データ     
円錐定数   4次の係数  6次の係数   8次の係数  10次の係数
K          B          C          D            E
第2面 -8.0765E-01 4.7393E-05 1.2777E-07  9.2378E-10  8.0140E-12
第14面 0.0000E+00 1.2892E-04 1.0224E-07 -9.3803E-09 -9.8935E-12
各種データ         広角端       中間       望遠端  
焦点距離           11.00       15.50       22.00   
Fno                 3.75        4.51        5.60   
半画角ω（度）     51.16       41.39       31.84   
像高               13.66       13.66       13.66   
レンズ全長         87.43       85.83       90.30   
BF                 16.00       16.00       16.00   
入射瞳位置         12.56       11.54       10.52   
射出瞳位置        -22.03      -32.20      -48.28   
前側主点位置       20.38       22.05       24.99   
後側主点位置        5.00        0.50       -6.00   
可変間隔     
面番号              広角端       中間       望遠端  
6                  18.95       9.75        3.00   
17                   3.18       2.23        1.30   
19                   4.32      12.88       25.02   
22                  16.00      16.00       16.00   
群データ     
群   始面    焦点距離    レンズ構成長  前側主点位置   後側主点位置
1      1      -18.91        18.61         -0.52          -18.78 
2      7       18.02        21.45         12.31           -6.95 
3     18      -31.21         0.80          0.64            0.20 
4     20      234.23         4.12          1.49           -1.20 
単レンズデータ    
レンズ         始面        焦点距離   
1             1          -17.280   
2             3          -19.800   
3             5           22.100   
4             7           61.620   
5            10           15.690   
6            11           -9.260   
7            13           14.720   
8            15          -10.350   
9            16            9.210   
10            18          -31.210   
11            20           62.980   
12            21          -86.000   
【００８４】
数値実施例６ 
単位 mm 
面番号     R         D         Nd      νd     光線有効径
1        42.192     2.00     1.83481   42.7     38.67
2        20.779     8.32                        32.20
3       392.860     1.10     1.77250   49.6     31.58
4        31.282     2.59                        29.87
5        29.503     3.38     1.84666   23.8     30.35
6        62.162     (可変)                      29.90
7        21.910     5.14     1.69680   55.5     12.85
8      -128.457     (可変)                      12.09
9(絞り)   ∞        1.00                        11.68
10       26.166     1.23     1.72916   54.7     11.11
11       39.285     0.12                        10.72
12       19.423     2.11     1.51633   64.1     10.49
13      -31.921     0.80     1.84666   23.8      9.99
14       66.357     (可変)                       9.51
15      143.428     0.70     1.51633   64.1      8.78
16       13.723     (可変)                       8.31
17     -186.017     3.00     1.69895   30.1     13.98
18*     -49.357     (可変)                      15.11
像面       ∞       0.00                         0.00
【００８５】
非球面
データ     第18面
円錐定数   4次の係数   6次の係数  8次の係数  10次の係数  12次の係数
K           B          C          D            E          F
0.0000E+00 3.4776E-05 -2.9562E-09 2.6360E-09 -2.9532E-11 1.1023E-13
各種データ      広角端      中間     望遠端          
焦点距離         18.20      24.00     44.00           
Fno               3.60       3.96      5.32           
半画角ω（度）   36.89      29.65     17.25           
像高             13.66      13.66     13.66           
レンズ全長      110.00      95.81     82.91           
BF               19.77      24.93     38.25           
入射瞳位置       26.66      23.65     16.85           
射出瞳位置      -21.88     -18.22    -12.86           
前側主点位置     36.91      34.30     22.96           
後側主点位置      1.57       0.93     -5.75           
可変間隔                         
面番号          広角端     中間     望遠端          
6               44.97      27.86     4.75           
8                1.00       1.07     1.32           
14               1.50       2.04     3.71           
16              11.26       8.41     3.39           
18              19.77      24.93    38.25           
群データ                         
群     始面  焦点距離 レンズ構成長 前側主点位置  後側主点位置
1       1     -37.32      17.39       3.61        -10.72 
2       7      27.24       5.14       0.45         -2.62 
3       9      69.58       5.26      -2.33         -5.71 
4      15     -29.44       0.70       0.51          0.05 
5      17      95.26       3.00       2.38          0.63 
単レンズデータ                         
レンズ   始面    焦点距離               
1         1     -51.220               
2         3     -44.060               
3         5      63.320               
4         7      27.240               
5        10     103.370               
6        12      23.720               
7        13     -25.360               
8        15     -29.440               
9        17      95.260               
【００８６】
【表１】
2014026211.tif 000004
【００８７】
【表２】
2014026211.tif 000005
【符号の説明】
【００８８】
ＯＬ    ズームレンズ    Ｌ１    第１レンズ群    Ｌ２    第２レンズ群
Ｌ３    第３レンズ群    Ｌ４    第４レンズ群    Ｌ５    第５レンズ群
Ｌｆ    フォーカスレンズ群      Ｌｉｍｇ  最終レンズ群
ＯＡ    光軸      ＳＰ    開口絞り
【図１】
2014026211.tif 000006
【図２】
2014026211.tif 000007
【図３】
2014026211.tif 000008
【図４】
2014026211.tif 000009
【図５】
2014026211.tif 000010
【図６】
2014026211.tif 000011
【図７】
2014026211.tif 000012
【図８】
2014026211.tif 000013
【図９】
2014026211.tif 000014
【図１０】
2014026211.tif 000015
【図１１】
2014026211.tif 000016
【図１２】
2014026211.tif 000017
【図１３】
2014026211.tif 000018